(57)【要約】【課題】効率的な拡大又は縮小印刷を行う。【解決手段】ＣＰＵ２０は、印刷領域設定処理において、まず原稿の読み取りを画像読取部１１に行わせ、読み取った画像データを縮小した縮小画像データを印刷対象の画像データとして携帯電話５０に出力する。次いで、携帯電話５０から印刷領域の設定情報を入力されると、印刷条件設定の操作メニュー画面を表示装置２に表示し、操作装置３からの指示に従って印刷条件を設定する。次いで、印刷領域の設定情報に基づいて印刷条件に応じた印刷プレビュー用の画像データを生成して携帯電話５０に出力し、操作装置３から印刷指示が入力された場合は印刷領域の画像データの印刷処理を実行し、印刷領域の再設定指示が入力された場合は再設定指示の制御情報を携帯電話５０に出力する。【選択図】　　　　　図２
2004088344.tif 000002
【特許請求の範囲】
【請求項１】
印刷条件の設定を操作する第１の操作手段と、印刷条件設定の操作メニューを表示する第１の表示手段と、を備えた画像形成装置において、
印刷対象の画像データを表示する第２の表示手段と、
前記第２の表示手段により表示された画像データの画像領域から印刷領域の設定を操作する第２の操作手段と、
前記第２の操作手段による設定操作で設定された印刷領域の画像データを、指定された印刷用紙のサイズに応じて拡大又は縮小する画像処理手段と、
前記画像処理手段により拡大又は縮小された印刷領域の画像データを前記印刷用紙に画像形成する画像形成手段と、
を備えることを特徴とする画像形成装置。
【請求項２】
携帯端末を接続する接続手段を備え、
前記接続手段により接続された携帯端末が前記第２の表示手段及び第２の操作手段を備え、
前記携帯端末の第２の表示手段は、前記接続手段を介して画像形成装置から入力された印刷対象の画像データを表示し、
前記携帯端末の第２の操作手段は、前記携帯端末の第２の表示手段に表示された画像データの画像領域から印刷領域の設定を操作し、この設定操作により設定された印刷領域の設定情報を、前記接続手段を介して画像形成装置に出力することを特徴とする請求項１に記載の画像形成装置。
【請求項３】
前記第２の表示手段における表示領域を印刷領域として設定し、
前記第２の操作手段は、前記表示領域に表示される画像データの縮小、拡大又は移動を操作して印刷領域の設定を操作することを特徴とする請求項１又は２に記載の画像形成装置。
【請求項４】
前記第２の操作手段による設定操作で設定された印刷領域に対して、指定された印刷用紙のサイズが不適切である場合、不適切であることをユーザに通知する通知手段を備えることを特徴とする請求項１〜３の何れか１項に記載の画像形成装置。
【請求項５】
前記通知手段は、前記印刷領域に対して適切な印刷用紙のサイズをユーザに通知することを特徴とする請求項４に記載の画像形成装置。
【発明の詳細な説明】
【０００１】
【発明の属する技術分野】
本発明は、画像形成装置に関する。
【０００２】
【従来の技術】
従来、デジタル画像データに基づいて画像を形成するコピー機、ファクシミリ装置等の画像形成装置には、様々な機能を有するものがあり、例えば印刷用紙サイズ、印刷濃度、両面印刷等の多様な印刷形態を選択可能とし、使用目的に応じた印刷を実現させる。
【０００３】
【発明が解決しようとする課題】
また、原稿の印刷倍率を変更可能とし、部分的な領域の拡大又は縮小印刷が可能となっている。しかしながら、例えば拡大印刷する場合、原稿台のどの位置に原稿を置くと、所望サイズの印刷用紙の中央に拡大印刷したい領域が収まるのかが実際に印刷した結果を見るまで不明であるため、使い慣れない画像形成装置では満足のいく印刷結果が得られるまで無駄な印刷作業を繰り返すことが多く、資源の浪費につながることとなっていた。
【０００４】
このような操作性を改善するために大型の表示ディスプレイを備え、一旦原稿の画像データを読み取って表示ディスプレイに表示し、表示された画像データにより印刷する画像領域を確認しながら、拡大印刷の操作を行うといった方法も考えられるが、大型の表示ディスプレイを備えることは画像形成装置の大型化及びコスト高を招くこととなってしまう。
【０００５】
本発明の課題は、効率的な拡大又は縮小印刷を行うことである。
【０００６】
【課題を解決するための手段】
請求項１に記載の発明は、
印刷条件の設定を操作する第１の操作手段と、印刷条件設定の操作メニューを表示する第１の表示手段と、を備えた画像形成装置において、
印刷対象の画像データを表示する第２の表示手段と、
前記第２の表示手段により表示された画像データの画像領域から印刷領域の設定を操作する第２の操作手段と、
前記第２の操作手段による設定操作で設定された印刷領域の画像データを、指定された印刷用紙のサイズに応じて拡大又は縮小する画像処理手段と、
前記画像処理手段により拡大又は縮小された印刷領域の画像データを前記印刷用紙に画像形成する画像形成手段と、
を備えることを特徴としている。
【０００７】
この請求項１に記載の発明によれば、印刷対象の画像データを表示して印刷領域の設定を行い、設定された印刷領域の画像データを印刷用紙のサイズに応じて拡大又は縮小し、画像形成するので、表示された画像データを確認しながら容易に所望の印刷領域を設定することができ、効率的な拡大又は縮小印刷を行うことができる。
【０００８】
請求項２に記載の発明は、請求項１に記載の画像形成装置において、
携帯端末を接続する接続手段を備え、
前記接続手段により接続された携帯端末が前記第２の表示手段及び第２の操作手段を備え、
前記携帯端末の第２の表示手段は、前記接続手段を介して画像形成装置から入力された印刷対象の画像データを表示し、
前記携帯端末の第２の操作手段は、前記携帯端末の第２の表示手段に表示された画像データの画像領域から印刷領域の設定を操作し、この設定操作により設定された印刷領域の設定情報を、前記接続手段を介して画像形成装置に出力することを特徴としている。
【０００９】
請求項３に記載の発明は、請求項１又は２に記載の画像形成装置において、
前記第２の表示手段における表示領域を印刷領域として設定し、
前記第２の操作手段は、前記表示領域に表示される画像データの縮小、拡大又は移動を操作して印刷領域の設定を操作することを特徴としている。
【００１０】
この請求項２、３に記載の発明によれば、携帯端末を接続し、この携帯端末において印刷対象の画像データを表示し、画像データの縮小、拡大又は移動を操作して印刷領域の設定操作を行うので、操作性が向上するとともに画像形成装置に画像データ表示用の表示手段を設ける必要がないため、画像形成装置の大型化及びコスト高を回避することができる。
【００１１】
請求項４に記載の発明は、請求項１〜３の何れか１項に記載の画像形成装置において、
前記第２の操作手段による設定操作で設定された印刷領域に対して、指定された印刷用紙のサイズが不適切である場合、不適切であることをユーザに通知する通知手段を備えることを特徴としている。
【００１２】
この請求項４に記載の発明によれば、印刷領域に対して指定された印刷用紙のサイズが不適切である場合はユーザに通知するので、印刷作業を支援し、より効率的な拡大又は縮小印刷を行うことができる。
【００１３】
請求項５に記載の発明は、請求項４に記載の画像形成装置において、
前記通知手段は、前記印刷領域に対して適切な印刷用紙のサイズをユーザに通知することを特徴としている。
【００１４】
この請求項５に記載の発明によれば、印刷領域に対して適切なサイズを通知するので、印刷作業を支援し、より効率的な拡大又は縮小印刷を行うことができる。
【００１５】
【発明の実施の形態】
以下、図を参照して本発明の実施の形態を詳細に説明する。
なお、本実施の形態において、後述する画像形成装置１の表示装置２は本発明の請求項に記載した第１の表示手段、通知手段として、操作装置３は第１の操作手段として、画像処理部２６は画像処理手段として、画像形成部１２は画像形成手段として、接続部６は接続手段として、携帯電話５０は携帯端末として、表示ディスプレイ６３は第２の表示手段として、操作部７０は第２の操作手段としての機能を有する。
【００１６】
まず、構成を説明する。
図１は、本実施の形態における画像形成装置１の外観図である。
図１において、画像形成装置１は、その本体表面に表示装置２、操作装置３、スキャナカバー４、給紙トレイ５、接続部６、原稿台７を備える。
【００１７】
さらに図２のブロック図を参照して、図１に示した画像形成装置１の機能的構成を説明する。
図２において、画像形成装置１は、メイン制御部１０、画像読取部１１、画像形成部１２、表示装置２、操作装置３、接続部６を有する。
【００１８】
また、メイン制御部１０は、ＣＰＵ２０、ＲＯＭ２１、ＲＡＭ２２、表示制御部２３、操作制御部２４、読取制御部２５、画像処理部２６、画像形成制御部２７、記憶装置２８、通信制御部２９から構成され、各部はシステムバス３０により接続されている。
【００１９】
なお、読取制御部２５には画像読取部１１が、画像形成制御部２７には画像形成部１２が、通信制御部２９には接続部６が、表示制御部２３には表示装置２が、操作制御部２４には操作装置３が接続されている。
【００２０】
ＣＰＵ（Ｃｅｎｔｒａｌ　Ｐｒｏｃｅｓｓｉｎｇ　Ｕｎｉｔ）２０は、ＲＯＭ２１に記憶される各種制御プログラムに基づいて、画像形成装置１の各部を集中制御する。具体的には、通信制御部２９や操作装置３から入力される信号に応答して、ＲＯＭ２１に記憶されるプログラムを読み出してＲＡＭ２２に一時記憶し、係るプログラムに基づく各種処理を実行して、画像形成装置１の各部を機能させる。その際、ＣＰＵ２０は、ＲＡＭ２２内に各種処理結果を格納するとともに、必要に応じて表示装置２にその処理結果を表示させる。
【００２１】
具体的には、ＣＰＵ２０は後述する印刷領域設定処理を実行する。
ＣＰＵ２０は、印刷領域設定処理において、まず原稿の読み取りを画像読取部１１に行わせ、読み取った画像データを縮小した縮小画像データを印刷対象の画像データとして携帯電話５０に出力する。次いで、携帯電話５０から印刷領域の設定情報を入力されると、印刷条件設定の操作メニュー画面を表示装置２に表示し、操作装置３からの指示に従って印刷条件を設定する。次いで、印刷領域の設定情報に基づいて印刷条件に応じた印刷プレビュー用の画像データを生成して携帯電話５０に出力し、操作装置３から印刷指示が入力された場合は印刷領域の画像データの印刷処理を実行し、印刷領域の再設定指示が入力された場合は再設定指示の制御情報を携帯電話５０に出力する。
【００２２】
ＲＯＭ（Ｒｅａｄ　Ｏｎｌｙ　Ｍｅｍｏｒｙ）２１は、読み出し専用のメモリであり、ＣＰＵ２０が実行する各種制御プログラムが格納される。例えば、システム全体を制御するためのシステムプログラム、初期化プログラム、後述する印刷領域設定処理を実行するためのプログラム等を記憶する。なお、ＲＯＭ２１は、フラッシュメモリ等の消去又は書き込みが可能な記憶媒体であってもよく、通信制御部２９を介して外部から入力されるプログラムやデータを取り込んで記憶可能な構成とし、取り込んだプログラムに基づいてＣＰＵ２０が各種処理を実行するように構成してもよい。
【００２３】
ＲＡＭ（Ｒａｎｄｏｍ　Ａｃｃｅｓｓ　Ｍｅｍｏｒｙ）２２は、データを一時的に保存する記憶媒体であって、ＣＰＵ２０が実行するプログラムを展開するためのエリア、通信制御部２９や操作装置３からの入力されるデータやＣＰＵ２０の各種処理結果等を一時的に記憶するためのエリア、読取制御部２５や通信制御部２９から入力される画像データを一時的に記憶するためのエリア等、各種記憶エリアを有する。
【００２４】
読取制御部２５は、ＣＰＵ２０から入力される指示に従って、画像読取部２５の駆動を制御する。画像読取部１１は、図１に示したスキャナカバー４や原稿台７を含み、ユーザによりセットされた原稿を読み取って画像データを生成するものである。画像読取部１１としては、ドキュメントスキャナ、ドラムスキャナ、ハンディスキャナ、フィルムスキャナ、フラットベッドスキャナ等の多数の読取方式が存在するが、これらのうち何れの方式であってもよい。なお、画像読取部１１により読み取った画像データは、ＲＡＭ２２に一時的に記憶される。
【００２５】
画像処理部２６は、ＣＰＵ２０から入力される指示に従って、ＲＡＭ２２に記憶された画像データについて各種画像処理を施す。例えば、操作装置３からの操作指示に応じた倍率に画像データを拡大又は縮小する画像処理や、画像データの回転、位置変更、コントラスト調整、鮮鋭度強調、色の彩度又は明度の変更等の画像処理を施す。
【００２６】
画像形成制御部２７は、ＣＰＵ２０から入力される指示に従って、画像形成部１２の駆動を制御する。例えば、ＲＡＭ２２内に記憶された画像データをＣＰＵ２０から入力される指示に従って読み出し、その読み出した画像データに基づいて画像形成部１２を制御して印刷させる。画像形成部１２は、画像形成部２７による駆動制御に従って、印刷用紙に画像データの画像を形成する。なお、画像形成部１２には、電子写真方式、インクジェット方式、ドットインパクト方式、熱転写方式等の多数の画像形成方式が存在するが、これらのうち何れの方式を適用してもよい。
【００２７】
また、画像形成制御部２７は、印刷用紙を搬送するための搬送機構を制御し、操作装置３により指定されたサイズの印刷用紙を給紙トレイ５から搬送して画像形成部１２に供給する。また、操作装置３から両面／片面印刷の指示が入力された場合には、印刷用紙の搬送を制御して指示された印刷面に画像形成させる。
【００２８】
記憶装置２８は、ＨＤＤ（Ｈａｒｄ　Ｄｉｓｋ　Ｄｒｉｖｅ；図示せず）を有し、ＣＰＵ２０の指示に従って、画像読取部１１により読み取られた画像データを記憶して保存する。例えば、ＣＰＵ２０から画像データの保存指示が入力されると、ＨＤＤ内の空き容量を判定し、この空き容量の領域内に入力された画像データを記憶する。また、ＣＰＵ２０から画像データの読出指示が入力された場合には、指定された画像データをＨＤＤから読み出して指定された各部に出力する。
【００２９】
表示制御部２３は、ＣＰＵ２０から入力される指示に従って、表示装置２に画像を表示させる際の表示制御を行う。表示装置２は、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）等によってなる表示画面を備え、表示制御部２３による制御に従って表示データを表示する。例えば、印刷条件設定の操作メニュー等の各種操作メニュー画面や紙詰まり位置を指示するためのジャム情報画面等を表示し、特に印刷領域設定処理においては、指定された印刷用紙のサイズが設定された印刷領域に対して不適切であることを通知する又はその印刷領域に対して適切なサイズを通知するメッセージ画面等を必要に応じて表示する。
【００３０】
操作装置３は、印刷条件の設定を操作するための数字キーや各種機能キーを備え、操作されたキーに対応する操作信号を操作制御部２４に出力する。また、操作装置３は、表示装置２と一体化したタッチパネルを有し、表示装置２に表示された操作画面で押下されたキーの操作信号を操作制御部２４に出力する。操作制御部２４は、操作装置３とメイン制御部１０とを接続するためのインターフェイスであり、操作装置３から入力された操作信号をメイン制御部１０に出力する。
【００３１】
通信制御部２９は、接続部６を介して接続された携帯電話５０とデータを入出力するためのインターフェイスである。すなわち、携帯電話５０から入力される信号をＣＰＵ２０に出力する一方、ＣＰＵ２０から入力される信号を携帯電話５０に対して出力する。
【００３２】
接続部６は、ＲＳ−２３２Ｃ、ＵＳＢ２．０（バージョン１．０や２．０、２．０の追加規格ＯＴＧ；Ｏｎ−Ｔｈｅ−Ｇｏ）等の各種標準インターフェイス規格に適合したコネクタやコードから構成され、各種類の携帯電話と接続可能なコネクタにより携帯電話５０を画像形成装置１に接続する。なお、接続部６は、図１に示すようにコネクタとコードのみの構成に限らず、携帯電話５０を固定及び接続できるようにした接続コネクタを備えたホルダスタンドの構成としてもよい。
【００３３】
また、通信制御部２９は、接続部６を介して接続された携帯電話５０を制御して外部機器との無線通信を実行することが可能である。例えば、画像形成装置１の制御により、画像形成装置１で読み込んだ原稿の画像データを相手先電話番号（ファクシミリ番号）に送信するファクシミリ通信や、携帯電話会社がサポートするインターネット接続サービスを利用して取得した画像データを画像形成装置１にて画像形成する等、携帯電話５０と画像形成装置１とのコネクタ接続にて確立したインターフェイスにより相互の機器操作が可能となる。
【００３４】
次に、図３を参照して携帯端末である携帯電話５０の操作機能及び表示機能について説明する。
図３は、携帯電話５０の外観図である。図３において、携帯電話５０は、ディスプレイ部６０と、操作部７０とから構成される。なお、本実施の形態ではその中央部に設けられた図示しない連結機構により、ディスプレイ部６０と操作部７０とが折り畳みできる構成とするが、折り畳みの構成には限定しない。
【００３５】
ディスプレイ部６０は、受話音声を出力する受話スピーカー６２と、液晶ディスプレイからなる表示ディスプレイ６３を備える。表示ディスプレイ６３は、メニュー画面等の通信のための各種表示画面を表示するとともに、画像形成装置１から入力された印刷対象の画像データや操作画面等を表示する。
【００３６】
操作部７０は、予め割り当てられたソフト機能を入力するソフトキーＳ１、Ｓ２と、入力を決定する決定キーＭと、表示ディスプレイ６３に表示された表示画面において入力又は表示位置の上下左右への移動を指示するカーソルキー７１と、入力指示を取り消すクリアキーＣと、通話開始を入力するオンフックキー７２と、電源オン／オフと通話終了を入力する電源／オンフックキー７３と、数字と文字を入力するテンキー７４と、送話音声を入力する送話マイク７５と、を有している。
【００３７】
特に印刷領域設定処理において、カーソルキー７１は表示ディスプレイ６３に表示された画像データの表示位置の上下左右方向への移動を指示し、ソフトキーＳ１は画像データの縮小を指示し、ソフトキーＳ２は画像データの拡大を指示する。また、決定キーＭは表示ディスプレイ６３の表示領域に表示されている画像領域を印刷領域として設定することを決定指示する。
【００３８】
携帯電話５０は、内部に携帯電話５０の各部を制御するＣＰＵ（図示せず）や、携帯電話５０で実行可能な各種制御プログラムや画像形成装置１から入力された画像データ等を格納するメモリ（図示せず）等が備えられる。なお、印刷領域設定処理を実行するための制御プログラム、表示ディスプレイ６３に表示される画像データを操作部７０からの指示に応じて縮小又は拡大する等、携帯電話５０を画像形成装置１の第２の操作手段として用いるための制御プログラム等は、予め携帯電話５０のメモリに格納されていることとするが、画像形成装置１が、接続された携帯電話５０を制御してインターネット接続し、画像形成装置１の機器サービスセンターのサーバから携帯電話用の制御プログラムを取得してもよいし、画像形成装置１の記憶装置２８にその制御プログラムを格納しておき、記憶装置２８から制御プログラムを取得してインストールすることとしてもよい。
【００３９】
次に、本実施の形態の動作を説明する。
図４は、画像形成装置１及び携帯電話５０により実行される印刷領域設定処理を説明するためのフローチャートである。
説明の前提として、ユーザにより携帯電話５０が接続部６を介して画像形成装置１に接続されたとともに、図５に示すような原稿Ｔが原稿台７にセットされ、印刷倍率を変えて拡大又は縮小印刷する操作メニューを操作装置３により選択されたものとする。
【００４０】
図４において、画像形成装置１は、画像読取部１１により原稿台７にセットされた原稿Ｔの画像データを読み取る（ステップＳ１）。次いで、画像形成装置１は、読み取った画像データの全画像領域が携帯電話５０の表示ディスプレイ６３の表示領域に収まるように、画像データを画像処理部２６により縮小処理し、この縮小した画像データを印刷対象の画像データとして通信制御部２９を介して携帯電話５０に出力する（ステップＳ２）。なお、画像データの縮小は、携帯電話５０の表示ディスプレイ６３に画像データを表示した際に、その画像のおおまかな全体構成が判別できる程度に縮小することとする。
【００４１】
携帯電話５０は、図６に示すように、画像形成装置１から入力された画像データを表示ディスプレイ６３に表示し（ステップＳ３）、表示した画像データの全画像領域から印刷領域を設定する設定操作を行う（ステップＳ４）。印刷領域は、表示ディスプレイ６３の表示領域を印刷領域として設定するので、表示ディスプレイ６３に表示される画像データをユーザの指示に応じて拡大又は縮小したり、上下左右に移動させて、ユーザが印刷を所望する画像領域が表示ディスプレイ６３の表示領域に収まって表示されるように設定操作を繰り返す。
【００４２】
この印刷領域の設定操作において、携帯電話５０は、カーソルキー７１により画像データの移動を指示されると、カーソルキー７１の押下時間又は押下回数に応じて画像データを指示された方向へ移動させて表示する。
【００４３】
また、ソフトキーＳ１により画像データの縮小を指示されると、ソフトキーＳ１の押下回数に応じた縮小倍率で画像データの縮小を行って表示し、ソフトキーＳ２により画像データの拡大を指示されると、ソフトキーＳ２の押下回数に応じた拡大倍率で画像データの拡大を行って表示する。なお、携帯電話５０は、図６に示すように予め表示ディスプレイの中央に中心点を設定しており、拡大又は縮小を指示された際は、この中心点を中心に画像データの拡大又は縮小を行う。
【００４４】
例えば、ソフトキーＳ２を１回押下する毎に１５０％の倍率で拡大を行うように予め設定しておいた場合、図６の表示ディスプレイ６３に表示された画像データにおいて、ソフトキーＳ２を１回押下されると中心点を中心に１５０％の拡大倍率で拡大処理が実行され、表示ディスプレイ６３には、図７に示すような画像データが表示される。
【００４５】
このようにして、印刷領域の設定操作が行われ、決定キーＭが押下されると、現在表示ディスプレイ６３の表示領域に表示されている画像領域を印刷領域として設定し、携帯電話５０は、設定した印刷領域の設定情報を画像形成装置１に出力する（ステップＳ５）。
【００４６】
画像形成装置１は、携帯電話５０から印刷領域の設定情報を入力されると、この印刷領域の設定情報に基づいて印刷領域を認識する。次いで、印刷条件を設定する操作メニュー画面を表示装置２に表示させ、用紙サイズ、印刷枚数、印刷面（片面／両面）、コピー濃度、画質調整、カラー／モノクロ、カラー調整等の各種印刷条件を操作装置３からユーザに指定させる（ステップＳ６）。
【００４７】
このとき、ユーザにより指定された用紙サイズでは設定された印刷領域の画像データが収まらない、或いは縮小倍率が大きいため画像データの劣化が激しく詳細な部分を再現できない等、印刷領域に対して設定された用紙サイズが不適切である場合は、その旨を表示装置２にメッセージ表示してユーザに通知することとしてもよい。さらに、印刷領域に対する適切な用紙サイズを検知してユーザに通知する等してユーザの印刷作業を支援することとしてもよい。これにより印刷作業の効率化を図ることができる。
【００４８】
次いで、画像形成装置１は、設定された印刷条件に応じて画像処理が必要な場合、例えばコピー濃度の変更やカラー／モノクロの指定、画質調整を指示されている場合は、印刷領域の画像データに対して、画像処理部２６によりコントラスト処理や色変換処理、鮮鋭度強調処理等の各種画像処理を施す。そして、この画像処理された印刷領域の画像データが携帯電話５０の表示ディスプレイ６３の表示領域に収まるように、印刷領域の画像データを縮小して印刷プレビュー用の画像データを生成し、この印刷プレビュー用の画像データを携帯電話５０に出力する（ステップＳ７）。
【００４９】
なお、印刷プレビュー用の画像データは、表示ディスプレイ６３に表示した際に、上述したように印刷領域のみを表示する、図８（ａ）に示すような画像データを生成してもよいし、全画像領域を含む画像データを縮小し、印刷領域のみを識別表示する、図８（ｂ）に示すような画像データを生成して、全画像領域のうち、どの部分を印刷領域に設定したかを全体的に確認できるようにしてもよい。また、その印刷領域のみの表示と、全画像領域における印刷領域の識別表示と、をユーザの指示に応じて切り換えが可能な構成としてもよい。
【００５０】
携帯電話５０は、画像形成装置１から入力された印刷プレビュー用の画像データを表示ディスプレイ６３に表示する（ステップＳ８）。ユーザは、印刷プレビューを確認し、その印刷プレビューで画像データの印刷を承認する場合は画像形成装置１の操作装置３を操作して印刷を指示し、印刷領域の再設定を行う場合は再設定を指示する。
【００５１】
画像形成装置１は、操作装置３から印刷指示又は再設定指示のどちらを入力されたかを判別し（ステップＳ９）、印刷指示を入力された場合は、画像処理部２６により印刷領域の画像データを指定された用紙サイズに応じて拡大又は縮小し、設定された印刷条件で画像形成部１２により印刷処理を実行して（ステップＳ１０）、印刷領域設定処理を終了する。
【００５２】
一方、ステップＳ９において再設定指示を入力された場合は、再設定を指示する制御情報を携帯電話５０に出力する。携帯電話５０は、印刷プレビューを表示後、画像形成装置１から再設定指示されたか否かを判別し（ステップＳ１１）、再設定指示されない場合は印刷領域設定処理を終了し、再設定指示された場合はステップＳ３に戻って、再度原稿Ｔの縮小画像データを表示して印刷領域の設定操作を行う。
【００５３】
以上のように、印刷領域を設定して原稿の一部の領域のみを拡大又は縮小印刷する際に、画像形成装置１に携帯電話５０を接続し、画像形成装置１で読み取った印刷対象の原稿の縮小画像データを携帯電話５０の表示ディスプレイ６３に表示して、携帯電話５０の操作部７０により印刷領域の設定操作を行うので、表示された画像を確認しながら容易に印刷領域の設定を行うことができ、効率的な拡大又は縮小印刷を行うことができる。
【００５４】
また、ユーザが携帯する携帯電話５０の表示ディスプレイ６３を用いて印刷対象の画像データを表示するので、画像形成装置１に画像データ表示用の表示手段を備える必要がなく、装置の大型化及びコスト高を回避することができる。また、携帯電話５０の操作部７０を用いて印刷領域の設定操作を行うので、操作性が向上する。
【００５５】
さらに、携帯電話５０は、画像形成装置１から送信された画像データをメモリに保持するので、印刷領域の再設定を容易に行うことができるとともに、一度設定した印刷領域で印刷した後に最初の印刷領域とは異なる印刷領域をさらに設定することも可能となり、利便性が向上する。
【００５６】
なお、本実施の形態における記述内容は、本発明の画像形成装置の好適な一例であり、これに限定されるものではない。
例えば、上述した説明では、画像形成装置１と携帯電話５０とを接続部６により接続していたが、無線通信（例えば、Ｂｌｕｅｔｏｏｔｈ）や赤外線通信を行うことにより画像形成装置１とデータの送受信を行うこととしてもよい。
【００５７】
また、画像形成装置１に接続される携帯電話５０は、表示機能及び操作機能を備えて画像形成装置１に接続可能であれば、例えばＰＨＳ等の他の携帯端末であってもよいし、ＰＤＡ（Ｐｅｒｓｏｎａｌ　Ｄｉｇｉｔａｌ　Ａｓｓｉｓｔａｎｔ）やノート型パーソナルコンピュータ等の携帯端末であってもよい。
【００５８】
また、印刷条件の設定は画像形成装置１側の操作装置３により操作指示することとしていたが、印刷条件の設定を操作するための操作プログラムを携帯電話５０に備えて、携帯電話５０の操作部７０から設定操作できる構成としてもよい。
【００５９】
その他、本実施の形態における画像形成装置１の細部構成及び細部動作に関しても、本発明の趣旨を逸脱することのない範囲で適宜変更可能である。
【００６０】
【発明の効果】
請求項１に記載の発明によれば、印刷対象の画像データを表示して印刷領域の設定を行い、設定された印刷領域の画像データを印刷用紙のサイズに応じて拡大又は縮小し、画像形成するので、表示された画像データを確認しながら容易に所望の印刷領域を設定することができ、効率的な拡大又は縮小印刷を行うことができる。
【００６１】
請求項２、３に記載の発明によれば、携帯端末を接続し、この携帯端末において印刷対象の画像データを表示し、画像データの縮小、拡大又は移動を操作して印刷領域の設定操作を行うので、操作性が向上するとともに画像形成装置に画像データ表示用の表示手段を設ける必要がないため、画像形成装置の大型化及びコスト高を回避することができる。
【００６２】
請求項４に記載の発明によれば、印刷領域に対して指定された印刷用紙のサイズが不適切である場合はユーザに通知するので、印刷作業を支援し、より効率的な拡大又は縮小印刷を行うことができる。
【００６３】
請求項５に記載の発明によれば、印刷領域に対して適切なサイズを通知するので、印刷作業を支援し、より効率的な拡大又は縮小印刷を行うことができる。
【図面の簡単な説明】
【図１】本発明を適用した実施の形態の画像形成装置１の外観図である。
【図２】図１の画像形成装置１の機能的構成を示すブロック図である。
【図３】画像形成装置１と接続される携帯電話５０の外観図である。
【図４】画像形成装置１と携帯電話５０とにより実行される印刷領域設定処理を説明するためのフローチャートである。
【図５】原稿Ｔの一例を示す図である。
【図６】印刷対象の画像データを表示ディスプレイ６３に表示した携帯電話５０を示す図である。
【図７】印刷対象の画像データを表示ディスプレイ６３に拡大表示した携帯電話５０を示す図である。
【図８】印刷プレビューの表示例を示す図であり、（ａ）は印刷領域のみの印刷プレビュー、（ｂ）は全画像領域のうち印刷領域を識別表示した印刷プレビューである。
【符号の説明】
１　　画像形成装置
２　　表示装置
３　　操作装置
４　　スキャナカバー
５　　給紙トレイ
６　　接続部
７　　原稿台
１０　　メイン制御部
１１　　画像読取部
１２　　画像形成部
１３　　ＨＤＤ
２０　　ＣＰＵ
２１　　ＲＯＭ
２２　　ＲＡＭ
２３　　表示制御部
２４　　操作制御部
２５　　読取制御部
２６　　画像処理部
２７　　画像形成制御部
２８　　記憶装置
２９　　通信制御部
５０　　携帯電話
６３　　表示ディスプレイ
Ｓ１、Ｓ２　　ソフトキー
Ｍ　　　決定キー
７１　　カーソルキー
【図１】
2004088344.tif 000003
【図２】
2004088344.tif 000004
【図３】
2004088344.tif 000005
【図４】
2004088344.tif 000006
【図５】
2004088344.tif 000007
【図６】
2004088344.tif 000008
【図７】
2004088344.tif 000009
【図８】
2004088344.tif 000010